(57)【要約】【課題】容器本体の傾倒に伴って注出される内容液の脈動を抑制でき、また、内容液を毎回略一定量で注出することができる注出容器を提案する。【解決手段】本発明の注出容器は、容器本体１０を傾倒姿勢に変位させて注出キャップ４０、５０から内容液を注出させるものであり、容器本体１０は、減容変形自在な内層体１１と、内層体１１を内側に収めるとともに内層体１１との相互間と外界とが常時連通する外気導入孔を備える外層体１２とを有し、内部通路２２を備えた筒状体２１を有するとともに内部通路２２と収容空間Ｍとをつなぐ貫通孔２３を筒状体２１の周壁２１ｂに設けた中栓２０と、容器本体１０の傾倒姿勢によって注出筒４４に向けて移動し、注出筒４４及び筒状体２１の少なくとも一方に設けた段部４５に着座して内容液の注出を阻止する球状体（移動弁体）３０を配設したことを特徴とする。【選択図】図１
2015030488.tif 000002
【特許請求の範囲】
【請求項１】
内容液を収容する容器本体と該容器本体の口部に装着される注出キャップとを備え、該容器本体を傾倒姿勢に変位させて該注出キャップの注出筒から内容液を注出させる注出容器であって、
前記容器本体は、その内側に内容液の収容空間を有する減容変形自在な内層体と、該容器本体の外殻をなし該内層体を内側に収めるとともに該内層体との相互間と外界とが常時連通する外気導入孔を備える外層体とを有し、
前記注出キャップの内側に、前記注出筒から該収容空間に向けて延在する内部通路を備えた筒状体を有するとともに該内部通路と該収容空間とをつなぐ貫通孔を該筒状体の周壁に設けた中栓を配設し、
前記筒状体の内側に、該容器本体の起立姿勢によって該筒状体の底壁に保持される一方、該容器本体の傾倒姿勢によって該注出筒に向けて移動し、該注出筒及び該筒状体の少なくとも一方に設けた段部に着座して内容液の注出を阻止する移動弁体を配設した注出容器。
【請求項２】
前記貫通孔を、前記段部に着座した移動弁体に対して前記筒状体の底壁側に設けてなる請求項１に記載の注出容器。
【請求項３】
前記段部は、前記中栓に連結するとともに前記注出筒から前記内部通路に向けて延在し前記筒状体の周壁内周面と液密に当接する環状壁である請求項１又は２に記載の注出容器。
【請求項４】
前記注出キャップは、前記注出筒を有するとともに前記容器本体の口部に装着されるキャップ本体と、該注出筒を覆い隠すとともに該キャップ本体にヒンジを介して連結する外蓋とを備える請求項１〜３の何れかに記載の注出容器。
【請求項５】
前記注出キャップは、前記注出筒を有するとともに前記容器本体の口部に装着されるキャップ本体と、該注出筒に連通する第二注出筒を有するとともに該キャップ本体に下段ヒンジを介して連結する中蓋と、該第二注出筒を覆い隠すとともに該中蓋に上段ヒンジを介して連結する外蓋とを有し、
該中蓋は、該注出筒を挿通するとともにその先端部を前記容器本体の傾倒姿勢における前記移動弁体に当接させて該移動弁体の前記段部への着座を阻止する棒状体を備える請求項１〜３の何れかに記載の注出容器。
【請求項６】
前記棒状体を前記第二注出筒の内側に配設するとともに、該棒状体と該第二注出筒との間を周方向に沿って間隔をあける複数の連結片により連結してなる請求項５に記載の注出容器。
【発明の詳細な説明】
【技術分野】
【０００１】
本発明は、内容液を収容する容器本体と、この容器本体の口部に装着される注出キャップとを備え、容器本体を傾倒させて注出キャップから内容液を注出させる注出容器に関するものである。
【背景技術】
【０００２】
従来、化粧水等の化粧料や醤油等の食品調味料を内容液として収容し、使用時に傾倒させることで内容液の注出を可能とする容器としては、例えば、内容液を収容する容器本体の口部に、特許文献１に示されるような注出キャップを装着した注出容器が既知である。
【先行技術文献】
【特許文献】
【０００３】
【特許文献１】特開平９−１６９３５５号公報
【発明の概要】
【発明が解決しようとする課題】
【０００４】
ところでこのような注出容器においては、容器本体を傾倒させた際、収容した内容液と外界の空気とが置換されることで内容液が注出されるが、例えば特許文献１に示されるような小径の注出筒にあっては、内容液と空気とのスムーズな置換が難しく、注出する内容液が脈動して周囲に飛び散ることがある。
【０００５】
また内容液は、容器を傾倒させている間、注出され続けることになるのが基本であることから、意図した量以上の内容液が注出されることも多く、例えば化粧料のように、通常、略一定量で使用される用途においては、使い勝手の点で課題を残している。
【０００６】
本発明の目的は、容器本体の傾倒に伴って注出される内容液の脈動を防止することができ、また内容液を略一定量で注出することができる、新たな注出容器を提案するところにある。
【課題を解決するための手段】
【０００７】
本発明は、内容液を収容する容器本体と該容器本体の口部に装着される注出キャップとを備え、該容器本体を傾倒姿勢に変位させて該注出キャップの注出筒から内容液を注出させる注出容器であって、
前記容器本体は、その内側に内容液の収容空間を有する減容変形自在な内層体と、該容器本体の外殻をなし該内層体を内側に収めるとともに該内層体との相互間と外界とが常時連通する外気導入孔を備える外層体とを有し、
前記注出キャップの内側に、前記注出筒から該収容空間に向けて延在する内部通路を備えた筒状体を有するとともに該内部通路と該収容空間とをつなぐ貫通孔を該筒状体の周壁に設けた中栓を配設し、
前記筒状体の内側に、該容器本体の起立姿勢によって該筒状体の底壁に保持される一方、該容器本体の傾倒姿勢によって該注出筒に向けて移動し、該注出筒及び該筒状体の少なくとも一方に設けた段部に着座して内容液の注出を阻止する移動弁体を配設した注出容器である。
【０００８】
前記貫通孔を、前記段部に着座した球状体に対して前記筒状体の底壁側に設けることが好ましい。
【０００９】
前記段部は、前記中栓に連結するとともに前記注出筒から前記内部通路に向けて延在し前記筒状体の周壁内周面と液密に当接する環状壁であることが好ましい。
【００１０】
前記注出キャップは、前記注出筒を有するとともに前記容器本体の口部に装着されるキャップ本体と、該注出筒を覆い隠すとともに該キャップ本体にヒンジを介して連結する外蓋とを備えることが好ましい。
【００１１】
前記注出キャップは、前記注出筒を有するとともに前記容器本体の口部に装着されるキャップ本体と、該注出筒に連通する第二注出筒を有するとともに該キャップ本体に下段ヒンジを介して連結する中蓋と、該第二注出筒を覆い隠すとともに該中蓋に上段ヒンジを介して連結する外蓋とを有し、
該中蓋は、該注出筒を挿通するとともにその先端部を前記容器本体の傾倒姿勢における前記移動弁体に当接させて該移動弁体の前記段部への着座を阻止する棒状体を備えることが好ましい。
【００１２】
前記棒状体を前記第二注出筒の内側に配設するとともに、該棒状体と該第二注出筒との間を周方向に沿って間隔をあける複数の連結片により連結することが好ましい。
【発明の効果】
【００１３】
上述の構成となる注出容器によれば、内容液は、容器本体の傾倒姿勢への変位によって移動弁体が内部通路を移動する間のみ注出されることになるので、１回に注出される内容液の量を略一定にすることができる。また、内容液を収容する内層体は減容変形自在であり、外気との置換無しに内容液を注出させることができるので、内容液の脈動が防止される。なお、外層体には、内層体との相互間と外界とを常時連通する外気導入孔が設けられているので、外層体の外形は維持したまま内層体のみを減容変形させることができる。
【００１４】
また貫通孔を、段部に着座した移動弁体に対して筒状体の底壁側に設ける場合は、移動弁体がスムーズに移動するとともに、貫通孔から内部通路に流入した内容液が、移動弁体を段部に押し付けるように作用するので、内容液の注出を阻止する移動弁体の弁機能が確実に発揮され、内容量の注出量をより安定させることができる。
【００１５】
また、容器本体の傾倒姿勢によって移動弁体が着座する段部を、中栓に連結するとともに注出筒から内部通路に向けて延在し筒状体の周壁内周面と液密に当接する環状壁とする場合は、中栓及び移動弁体は注出キャップに保持されて、注出キャップアセンブリとして１つの部品の如く取り扱うことができるので、容器本体への組み立て性が向上する。
【００１６】
また注出キャップを、注出筒を有するとともに容器本体の口部に装着されるキャップ本体と、注出筒を覆い隠すとともにキャップ本体にヒンジを介して連結する外蓋とを備えるものとする場合は、外蓋の開閉操作が片手で行えるので使い勝手がよくなる。
【００１７】
特に注出キャップを、注出筒を有するとともに容器本体の口部に装着されるキャップ本体と、注出筒に接続する第二注出筒を有するとともにキャップ本体に下段ヒンジを介して連結する中蓋と、第二注出筒を覆い隠すとともに中蓋に上段ヒンジを介して連結する外蓋とを有し、中蓋に、注出筒を挿通するとともにその先端部を容器本体の傾倒姿勢における移動弁体に当接させて移動弁体の段部への着座を阻止する棒状体を設けるものとする場合は、外蓋の開閉操作のしやすさに加え、外蓋のみを開けば棒状体が移動弁体の段部への着座を阻止して内容液の連続注出を行うことができ、また、中蓋を開けば移動弁体の段部への着座を許容して略一定量の内容液を注出させることができる。すなわち、何れの蓋を開くかによって内容液の注出形態を切り換えることができるので、使い勝手が更によくなる。
【００１８】
また棒状体を第二注出筒の内側に配設するとともに、棒状体と第二注出筒との間を周方向に沿って間隔をあける複数の連結片により連結する場合は、棒状体に関わる構造が簡素化される。
【図面の簡単な説明】
【００１９】
【図１】本発明に従う注出容器の一実施形態を示す図であり、起立姿勢の注出容器を側面視にて一部断面で示している。
【図２】図１の注出容器を傾倒姿勢に変位させて内容液が注出される状態を示す図である。
【図３】図２の注出容器を起立姿勢に戻した状態を示す図である。
【図４】本発明に従う注出容器の他の実施形態を示す図であり、起立姿勢の注出容器を側面視にて一部断面で示している。
【図５】図４の注出容器の中蓋を開くとともに傾倒姿勢に変位させた状態を示す図である。
【図６】図４の注出容器の外蓋を開くとともに傾倒姿勢に変位させた状態を示す図である。
【発明を実施するための形態】
【００２０】
以下、図面を参照して、本発明をより具体的に説明する。図１は、本発明に従う注出容器の一実施形態を示す図であり、起立姿勢の注出容器を側面視にて一部断面で示している。なお、本願明細書、特許請求の範囲、要約書、及び図面において「上」方向、「下」方向とは、注出容器の起立姿勢での向きを指す。
【００２１】
図１において、符号１は、本発明の注出容器の一実施形態を示す。注出容器１は、内容液を収容する容器本体１０と容器本体１０の口部に装着される注出キャップ４０とを備えている。また、注出キャップ４０の内側には、中栓２０が設けられていて、後述する中栓２０の筒状体には、球状体（移動弁体）３０が設けられている。
【００２２】
容器本体１０は、内容液の収容空間Ｍを有する減容変形自在な内層体１１と、容器本体１０の外殻をなし内層体１１を内側に収める外層体１２を備えている。本実施形態において外層体１２は、円形状となる底部１３の縁部から円筒状となる胴部１４を起立させるとともに、胴部１４の上部に、径方向内側に向けて縮径する肩部１５を介して容器本体１０の口部となる円筒状の口頸部１６が一体に連結されている。口頸部１６の外周面には、ねじ部１６ａが設けられている。また外層体１２には、図示は省略するが内層体１１との相互間と外界とを常時連通させる貫通孔（外気導入孔）が設けられている。なお、常時連通させるとは、内容液の注出に係る間（起立姿勢の容器本体１０を傾倒姿勢にして内容液を注出した後、再び起立姿勢に戻して収容空間Ｍ内の内容液が元の状態に戻るまで）は外気導入孔が開いたままであることを意味するものであり、例えば内層体１１と外層体１２との相互間から外界へ空気が逃げるのを防止する逆止弁は設けられていないことを意図する。
【００２３】
本実施形態における容器本体１０は、減容変形可能で薄肉の合成樹脂により形成される内層体１１と、内層体１１に対して相溶性が低い合成樹脂により形成される外層体１２とを積層させたものであり、これらの合成樹脂素材を積層して形成したパリソンを、ブロー成形することによって得られたものである。また、外気導入孔は、ブロー成形時に外層体１２の底部１３に形成される内層体１１と外層体１２との合わせ目（底シール部）に対し、外部から押圧力を作用させる等によって形成される底割れ状の間隙によって形成している。なお、容器本体１０は、予め内層体１１及び外層体１２を個別に形成しておき、その後、内層体１１を外層体１２内に装着するようにしたものでもよい。また、外気導入孔は底割れ状の間隙を利用するものに限られず、胴部１４や口頸部１６に貫通孔を形成するようにしてもよい。
【００２４】
中栓２０は、外層体１２の軸線Ｏに沿って延在する円筒状の筒状体２１を備えていて、その内側に内部通路２２を形成している。筒状体２１は、底壁２１ａと底壁２１ａの縁部より起立する周壁２１ｂとで形成され、底壁２１ａには、外層体１２の底部１３に向けて突出する凸部２１ｃ、及び凸部２１ｃを貫通する孔２１ｄが設けられている。また、周壁２１ｂには、内容液の収容空間Ｍと内部通路２２とをつなぐ貫通孔２３が設けられている。
【００２５】
筒状体２１の上方には、径方向外側に向けて延在するフランジ２４が一体に連結されていて、フランジ２４の縁部には、外層体１２の口頸部１６に沿って上方に延在し、口頸部１６との間で内層体１１を挟み込む環状のシール壁２５が設けられている。また、シール壁２５の上端には、口頸部１６上を径方向外側に向けて延在するとともに、径方向外側の縁部に上方に向かう環状部を設けたフランジ２６が設けられている。
【００２６】
筒状体２１の内側には、内部通路２２を移動する移動弁体として球状体３０を設けている。球状体３０は、図１に示すように容器本体１０の起立姿勢において底壁２１ａに着座し、保持されている。
【００２７】
注出キャップ４０は、口頸部１６に装着されるキャップ本体４１を備えている。キャップ本体４１は、口頸部１６を取り囲む円筒状の外周壁４２を有していて、外周壁４２の内周面には、口頸部１６のねじ部１６ａに係合するねじ部４２ａを設けている。なお、キャップ本体４１を口頸部１６に装着するには、これらのねじ部に代えてアンダーカットを利用してもよい。また外周壁４２の上端には、中栓２０を覆う天壁４３が一体に連結していて、その中央部には、貫通開口４３ａが設けられている。更に貫通開口４３ａの縁部には、上方に向けて立ち上がるとともに円筒状をなし上端を径方向外側に湾曲させてリップを形成した注出筒４４が設けられ、注出筒４４の下方には、内部通路２２に向けて延在し筒状体２１の周壁２１ｂの内周面と液密に当接する環状壁４５が設けられている。なお、後述するように環状壁４５は、容器本体１０を傾倒姿勢に変位させた際に球状体３０が着座する段部として機能する。
【００２８】
更に注出キャップ４０は、キャップ本体４１の外周壁４２に一体に連結するヒンジ４６を介して、外蓋４７を一体に連結している。外蓋４７は、キャップ本体４１の外周壁４２に連なる外壁４８と、外壁４８の上端で一体に連結するとともに注出筒４４を覆う頂壁４９を備えていて、頂壁４９の下面には、注出筒４４の内周面と液密に当接するシール筒４９ａが設けられている。また外壁４８において、軸線Ｏを挟んでヒンジ４６と反対側には、外蓋４７を開く際に指掛かりとなる指掛け部４８ａが設けられている。
【００２９】
上記のように構成される注出容器１から内容液を吐出するに当たっては、図２に示すように外蓋４７を開いて注出容器１を傾倒姿勢に変位させる。これにより、収容空間Ｍ内の内容液は、それ自身の自重によって貫通孔２３を通り抜けて内部通路２２に流入し、注出筒４４から注出される。ここで内層体１１は減容変形自在であるので、内容液は外気との置換なく注出されることになる。すなわち、注出筒４４が小径であっても内容液の脈動を防止することができる。なお、外層体１２には外気導入孔（本実施形態では、図示を省略した底割れ状の間隙）が設けられているので、内層体１１が減容変形しても、内層体１１と外層体１２との相互間には外気が入り込むため、内層体１１の減容変形が阻害されることはない。一方、球状体３０は、自重によって内部通路２２内を移動し、貫通孔２３を越えた後に環状壁４５の先端部（底壁２１ａ側の端部）に全周に亘って着座して、内容液の注出を停止させる。すなわち内容液は、球状体３０が内部通路２２を移動する間のみ注出されることになるので、１回に注出される内容液の量を略一定にすることができる。
【００３０】
なお、本実施形態において貫通孔２３を設ける位置は、図２に示すように球状体３０が環状壁４５の先端部に着座した際に、球状体３０よりも底壁２１ａ側になるようにしている。すなわち、球状体３０が貫通孔２３を通り越した後は、貫通孔２３（及び孔２１ｄ）から内部通路２２に流入した内容液が、球状体３０を環状壁４５に向けて押し付けるように作用するので、環状壁４５の先端部と球状体３０とが確実に当接することとなり、内容液の注出をより確実に停止することができる。
【００３１】
内容液の注出が終了した後、容器本体１０を図３に示すように元の起立姿勢に戻すと、球状体３０は、筒状体２１の底壁２１ａに向けて移動し、球状体３０に対して底壁２１ａ側に残っていた内容液は、貫通孔２３及び底壁２１ａの孔２１ｄから収容空間Ｍに流れる。一方、収容空間Ｍ内の内容液は、容器本体１０の姿勢変更に応じて中栓２０側から外層体１２の底部１３側へ流動するため、この際、減容変形した内層体１１を復元させるように作用する。これにより外気が、注出筒４４から貫通孔２３を通して収容空間Ｍに引き込まれるため、注出筒４４に付着していた残留内容液を、外気とともに注出筒４４の内側に引き込む（残留内容液の垂れ落ち防止）ことができる。
【００３２】
次に、図４〜図６を参照して、本発明に従う注出容器の他の実施形態について説明する。なお、注出キャップ４０以外の部分は前述の実施形態と同一であるため、図面に同一の符号を付してここでは説明を省略する。
【００３３】
図４に示す注出容器２は、前述の注出キャップ４０に代えて、注出キャップ５０を装着したものである。注出キャップ５０は、口頸部１６に装着されるキャップ本体５１を備えている。キャップ本体５１は、口頸部１６を取り囲む円筒状の外周壁５２を有していて、外周壁５２の内周面には、口頸部１６のねじ部１６ａに係合するねじ部５２ａを設けている。また外周壁５２の上端には、中栓２０を覆う天壁５３が一体に連結されていて、その中央部には貫通開口５３ａが設けられている。更に貫通開口５３ａの縁部には、上端を径方向外側に湾曲させてリップを形成した注出筒５４が設けられ、注出筒５４の下方には、内部通路２２に向けて延在し筒状体２１の周壁２１ｂの内周面と液密に当接する環状壁５５が設けられている。
【００３４】
また注出キャップ５０は、キャップ本体５１の外周壁５２に一体に連結する下段ヒンジ５６を介して、中蓋５７を一体に連結している。中蓋５７は、キャップ本体５１の外周壁５２に連なる外壁５８と、外壁５８の上端で一体に連結するとともに注出筒５４を覆う中間壁５９とを備えていて、その中央部には貫通開口５９ａが設けられている。更に貫通開口５９ａの縁部には、上端を径方向外側に湾曲させてリップを形成した第二注出筒６０が設けられ、第二注出筒６０の下方には、注出筒５４の内周面と液密に当接する第二環状壁６１が設けられている。そして第二注出筒６０の内側には、第二注出筒６０の周方向に沿って間隔をあける複数の連結片６２を介して一体に連結するとともに、注出筒５４及び環状壁５５を挿通する円柱状の棒状体６３が設けられている。ここで棒状体６３は、その先端部（底壁２１ａ側の端部）が環状壁５５の先端部よりも底壁２１ａ寄りとなる長さで設けられている。また外壁５８において、軸線Ｏを挟んで下段ヒンジ５６と反対側には、中蓋５７を開く際に指掛かりとなる指掛け部５８ａが設けられている。なお棒状体６３は、中実状のものに限られず、中空状であってもよい。またその断面形状は円形に限られず、四角形や六角形のような多角形になるものであってもよい。
【００３５】
更に注出キャップ５０は、軸線Ｏを挟んで下段ヒンジ５６と反対側で、中蓋５７の外壁５８に一体に連結する上段ヒンジ６４を有していて、上段ヒンジ６４には外蓋６５を一体に連結している。外蓋６５は、中蓋５７の外壁５８に連なる外壁６６と、外壁６６の上端で一体に連結するとともに第二注出筒６０を覆う頂壁６７を備えていて、頂壁６７の下面には、第二注出筒６０の内周面と液密に当接するシール筒６７ａが設けられている。また外壁６６において、軸線Ｏを挟んで上段ヒンジ６４と反対側には、外蓋６５を開く際に指掛かりとなる指掛け部６６ａが設けられている。
【００３６】
このように注出キャップ５０は、キャップ本体５１の上方に、中蓋５７、外蓋６５を順次に設けた多段キャップの形態をなすものである。
【００３７】
上記のように構成される注出容器２において、図５に示すように中蓋５７を開いて容器本体１０を傾倒姿勢に変位させる場合は、前述の実施形態と同様に、球状体３０が環状壁５５の先端部に着座するまでの間のみ内容液が注出されるので、略一定量の内容液を注出することができる。
【００３８】
一方、図６に示すように外蓋６５を開いて容器本体１０を傾倒姿勢に変位させる場合、球状体３０は、環状壁５５の先端部に着座する手前で棒状体６３の先端部に当接する。これにより収容空間Ｍ内の内容液は、貫通孔２３（及び孔２１ｄ）を通り、周壁２１ｂと球状体３０との相互間を経て、隣り合う連結片６２の間を通り抜けて第二注出筒６０から注出される。すなわち、容器本体１０を傾倒姿勢に維持している間、内容液を注出させ続けることができる。このように注出容器２によれば、中蓋５７又は外蓋６５の何れを開くかによって注出形態を切り換えることができる。
【００３９】
本発明に従う注出容器は、上述した実施形態に限定されるものではなく、特許請求の範囲に従う範囲で種々の変更が可能である。例えば、上述した実施形態では、図１に示すように容器本体１０の傾倒によって球状体３０が着座する段部を、筒状体２１の周壁２１ｂの内周面と液密に当接する環状壁４５、５５で構成したが、環状壁を筒状体の径方向外側に配置し、筒状体の周壁外周面をこの環状壁で嵌合保持するとともに注出筒の途中を縮径させて段部を設け、この段部に球状体が着座するようにしてもよい。また、図示は省略するが、筒状体の上部において径方向内側に突出する凸部を形成し、この凸部を段部としてもよく、更に、上述した凸部に係る注出筒及び筒状体の構成を両方組み合わせるようにして段部を構成することもできる。
【００４０】
また上述した実施形態では、外層体と内層体とを押出成形した積層パリソンをブロー成形して得られた積層剥離容器（所謂、デラミ容器）を使用し、外層体に底割れ状の間隙や貫通孔を設けてこれを外気導入孔としたが、例えば、外層体と内層体とを個別に成形したのち、それらを組み合わせた二重容器を使用する場合には、外層体の口頸部とキャップ本体の外周壁との相互間に空気の通る通気路（例えば外層体やキャップ本体のねじ部を切り欠く溝や、螺合したねじ部間に形成される螺旋状の隙間）を設けるとともに、外層体の口頸部及び内層体の口頸部の少なくとも一方に、他方に対向する突起または溝を設け、通気路からの空気を、この突起周辺に形成される隙間または溝を外気導入路として、外層体と内層体との相互間に流入させることもできる。
【００４１】
そして上述した実施形態において球状体３０として示した移動弁体は、筒状体内を移動し、段部に着座して内容液の注出を阻止することができる種々の形状のものを用いることが可能であり、例えば卵状や円柱状の移動弁体を用いることができる。また、筒状体の断面形状は円形に限定されるものではなく、多角形状の断面となるものを用いることも可能であり、このような場合は、筒状体の断面形状に適合する多角柱状や多角錐状の移動弁体を用いることができる。
【産業上の利用可能性】
【００４２】
本発明によれば、容器本体の傾倒に伴って注出される内容液の脈動を抑制でき、また、内容液を毎回略一定量で注出することができるため、使い勝手のよい注出容器を提供することができる。また、多段キャップを備えるものによれば、何れの蓋を開けるかによって、略一定量で注出させる場合と連続的に注出させる場合とを切り換えることができるので、使い勝手を更に高めた注出容器を提供することができる。
【符号の説明】
【００４３】
１、２  注出容器
１０  容器本体
１１  内層体
１２  外層体
１３  底部
１４  胴部
１５  肩部
１６  口頸部（口部）
１６ａ  ねじ部
２０  中栓
２１  筒状体
２１ａ  底壁
２１ｂ  周壁
２１ｃ  凸部
２１ｄ  孔
２２  内部通路
２３  貫通孔
２４  フランジ
２５  シール壁
２６  フランジ
３０  球状体（移動弁体）
４０  注出キャップ
４１  キャップ本体
４２  外周壁
４２ａ  ねじ部
４３  天壁
４３ａ  貫通開口
４４  注出筒
４５  環状壁（段部）
４６  ヒンジ
４７  外蓋
４８  外壁
４８ａ  指掛け部
４９  頂壁
４９ａ  シール筒
５０  注出キャップ
５１  キャップ本体
５２  外周壁
５２ａ  ねじ部
５３  天壁
５３ａ  貫通開口
５４  注出筒
５５  環状壁
５６  下段ヒンジ
５７  中蓋
５８  外壁
５８ａ  指掛け部
５９  中間壁
５９ａ  貫通開口
６０  第二注出筒
６１  第二環状壁
６２  連結片
６３  棒状体
６４  上段ヒンジ
６５  外蓋
６６  外壁
６６ａ  指掛け部
６７  頂壁
６７ａ  シール筒
Ｍ    収容空間
Ｏ    外層体の軸線
【図１】
2015030488.tif 000003
【図２】
2015030488.tif 000004
【図３】
2015030488.tif 000005
【図４】
2015030488.tif 000006
【図５】
2015030488.tif 000007
【図６】
2015030488.tif 000008